(57)【要約】【課題】維持期間における電圧の上昇時間及び下降時間を減少させることのできるプラズマ表示装置を提供する。【解決手段】本発明のプラズマ表示装置は、維持電極駆動部５００の電力回収回路５１０と維持電圧供給部５２０と走査電極駆動部４００の維持電圧供給部４２０を含み、パネルキャパシタＣｐに並列接続された変圧器の１次コイルＬ１と、１次コイルＬ１にカップリングされてパネルキャパシタＣｐに直列接続された変圧器の２次コイルＬ２とを備え、２次コイルＬ２の捲線比を１次コイルＬ１の捲線比よりも大きくすることで電圧の上昇時間及び下降時間を短縮させることを特徴とする。【選択図】図５
2007323065.tif 000002
【特許請求の範囲】
【請求項１】
第１電極と第２電極によって形成された容量性負荷であるパネルキャパシタを複数備えたプラズマ表示装置において、
第１端が第１電圧を供給する第１電源に接続され、第２端が前記第１電極に接続された第１トランジスタと、
第１端が前記第１電極に接続され、第２端が前記第１電圧より低い第２電圧を供給する第２電源に接続された第２トランジスタと、
第１端が前記第１トランジスタの第２端に接続された１次コイルと、
第１端が前記１次コイルの第２端に接続され、導通時に前記パネルキャパシタの両端にかかる電圧が減少するように動作する第３トランジスタと、
第２端が前記１次コイルの第２端に接続され、導通時に前記パネルキャパシタの両端にかかる電圧が増加するように動作する第４トランジスタと、
前記第１電極に第１端が接続され、前記１次コイルとカップリングされる２次コイルと、
第１端が前記２次コイルの第２端に接続されたインダクタと、
第１端が前記インダクタの第２端に接続され、導通時に前記パネルキャパシタの両端にかかる電圧が減少するように動作する第５トランジスタと、
第２端が前記インダクタの第２端に接続され、導通時に前記パネルキャパシタの両端にかかる電圧が増加するように動作する第６トランジスタと
を含むことを特徴とするプラズマ表示装置。
【請求項２】
前記第３トランジスタの第１端と前記第４トランジスタの第２端との接続点と前記第５トランジスタの第２端と前記第６トランジスタの第１端との接続点とは電気的に接続されていることを特徴とする請求項１に記載のプラズマ表示装置。
【請求項３】
前記第３トランジスタは第１端が前記第２電極に接続され、第２端が前記第１電源に接続され、
前記第４トランジスタは第１端が前記第２電源に接続され、第２端が前記第２電極に接続されていることを特徴とする請求項１または請求項２に記載のプラズマ表示装置。
【請求項４】
前記第５トランジスタの第１端にカソードが接続され、前記インダクタの第２端にアノードが接続された第１ダイオードと、
前記インダクタの第２端にカソードが接続され、前記第６トランジスタの第２端にアノードが接続された第２ダイオードと
をさらに含むことを特徴とする請求項１乃至請求項３のいずれか１項に記載のプラズマ表示装置。
【請求項５】
前記第１コイルと前記パネルキャパシタは並列接続されていることを特徴とする請求項１乃至４のいずれか１項に記載のプラズマ表示装置。
【請求項６】
前記第５トランジスタを導通して前記パネルキャパシタの両端にかかる電圧を漸進的に減少させ、
前記第２、第３及び第５トランジスタを導通して前記パネルキャパシタの両端にかかる電圧を前記第２電圧より低い第３電圧にし、
前記第６トランジスタを導通して前記パネルキャパシタの両端にかかる電圧を漸進的に増加させ、
前記第１、第４及び第６トランジスタを導通して前記パネルキャパシタの両端にかかる電圧を前記第１電圧にすることを特徴とする請求項１乃至５のいずれか１項に記載のプラズマ表示装置。
【請求項７】
前記第１電圧は維持放電電圧であることを特徴とする請求項１乃至６のいずれか１項に記載のプラズマ表示装置。
【請求項８】
前記第２電圧は接地電圧であることを特徴とする請求項１乃至７のいずれか１項に記載のプラズマ表示装置。
【請求項９】
前記第３電圧は前記第１電圧と大きさが同一で極性が反対であることを特徴とする請求項６に記載のプラズマ表示装置。
【請求項１０】
第１電極と第２電極とによって形成された容量性負荷である複数のパネルキャパシタと、
前記第１電極に接続され、導通時に前記第１電極に第１電圧を印加する第１トランジスタと、
前記第１電極に接続され、導通時に前記第１電極に前記第１電圧より低い第２電圧を印加する第２トランジスタと、
前記第２電極に接続され、導通時に前記第２電極に前記第１電圧を印加する第３トランジスタと、
前記第２電極に接続され、導通時に前記第２電極に前記第２電圧を印加する第４トランジスタと、
前記第１トランジスタの第２端に接続された１次コイルと、
前記１次コイルとカップリングされ、前記第１電極に接続された２次コイルと、
第１端が前記２次コイルに接続されたインダクタと、
第１端が前記インダクタの第２端に接続された第５トランジスタと、
第２端が前記インダクタの第２端に接続された第６トランジスタと、
第１端が前記１次コイルに接続され、第２端が前記第５トランジスタの第２端に接続された第７トランジスタと、
第１端が前記第６トランジスタの第１端に接続され、第２端が前記第７トランジスタの第１端に接続されて前記１次コイルに接続された第８トランジスタと
を含むことを特徴とするプラズマ表示装置。
【請求項１１】
前記第１トランジスタの第１端は前記第１電圧を供給する第１電源に接続され、前記１次コイルは前記第１トランジスタの第２端と前記第８トランジスタの第２端及び前記第７トランジスタの第１端の接続点との間に接続されていることを特徴とする請求項１０に記載のプラズマ表示装置。
【請求項１２】
前記第５トランジスタの第１端にカソードが接続され、前記インダクタの第２端にアノードが接続された第１ダイオードと、
前記インダクタの第２端にカソードが接続され、前記第６トランジスタの第２端にアノードが接続された第２ダイオードと、
前記第７トランジスタの第１端にカソードが接続され、前記１次コイルにアノードが接続された第３ダイオードと、
前記１次コイルにカソードが接続され、前記第８トランジスタの第２端にアノードが接続された第４ダイオードと
をさらに含むことを特徴とする請求項１０または請求項１１に記載のプラズマ表示装置。
【請求項１３】
前記１次コイルと前記パネルキャパシタは並列接続されていることを特徴とする請求項１０乃至請求項１２のいずれか１項に記載のプラズマ表示装置。
【請求項１４】
前記第２、第３、第６及び第８トランジスタを導通して前記第１電極には前記第２電圧を印加して前記第２電極には前記第１電圧を印加し、その後に前記第２及び第３トランジスタを遮断して前記第１電極の電圧を前記第１電圧まで漸進的に増加させ、前記第２電極の電圧を前記第２電圧まで漸進的に減少させ、
前記第１及び第４トランジスタを導通して前記第１電極には前記第１電圧を印加し、前記第２電極には前記第２電圧を印加し、
前記第５及び第７トランジスタを導通して前記第１電極の電圧を前記第２電圧まで漸進的に減少させ、前記第２電極の電圧を前記第１電圧まで漸進的に増加させることを特徴とする請求項１０乃至請求項１３のいずれか１項に記載のプラズマ表示装置。
【請求項１５】
前記第１電圧は維持放電電圧であることを特徴とする請求項１０乃至請求項１４のいずれか１項に記載のプラズマ表示装置。
【請求項１６】
前記第２電圧は接地電圧であることを特徴とする請求項１０乃至１５のいずれか１項に記載のプラズマ表示装置。
【請求項１７】
複数の第１電極、複数の第２電極、前記複数の第１電極を駆動するための第１電極駆動部、前記複数の第２電極を駆動するための第２電極駆動部及び前記第１電極と前記第２電極とから形成された容量性負荷であるパネルキャパシタを含むプラズマ表示装置において、
前記第１電極駆動部と前記第２電極駆動部との間で前記パネルキャパシタに並列接続された第１インダクタと、
前記パネルキャパシタと共に共振するように構成された第２インダクタと
を含むことを特徴とするプラズマ表示装置。
【請求項１８】
前記第１インダクタまたは前記第２インダクタのうちの少なくとも１つの所定部分が変圧器として動作するように構成されていることを特徴とする請求項１７に記載のプラズマ表示装置。
【請求項１９】
前記第１インダクタは前記変圧器の１次コイルを含み、前記第２インダクタは共振インダクタと変圧機の２次コイルを含むことを特徴とする請求項１７または請求項１８に記載のプラズマ表示装置。
【請求項２０】
前記変圧機の２次コイルは前記共振インダクタと前記パネルキャパシタとの間に位置して前記変圧機の１次コイルに接続され、前記変圧器の１次コイルは前記第１電極駆動部と前記第２電極駆動部との間でパネルキャパシタに並列接続されていることを特徴とする請求項１９に記載のプラズマ表示装置。
【請求項２１】
前記第２インダクタの一部に第２捲線が巻かれ、前記第１インダクタに第１捲線が巻かれ、前記第２捲線の数は前記第１捲線の数より大きいことを特徴とする請求項１７乃至請求項２０のいずれか１項に記載のプラズマ表示装置。
【請求項２２】
第１電極と第２電極を有する複数のパネルキャパシタと、
前記第１電極を駆動させるための第１電極駆動部と、
前記第２電極を駆動させるための第２電極駆動部と、
前記第１電極駆動部と前記第２電極駆動部との間で前記パネルキャパシタに並列接続されている第１インダクタと、
前記パネルキャパシタと前記第１インダクタに直列接続された第２インダクタと
を含むことを特徴とするプラズマ表示装置。
【請求項２３】
前記第１インダクタと前記第２インダクタの所定の部分は変圧器として動作するように構成されていることを特徴とする請求項２２に記載のプラズマ表示装置。
【請求項２４】
前記第１インダクタは変圧器の１次コイルを含み、前記第２インダクタは共振インダクタと前記変圧器の２次コイルを含むことを特徴とする請求項２２または請求項２３に記載のプラズマ表示装置。
【請求項２５】
前記変圧器の２次コイルは前記共振インダクタと前記パネルキャパシタとの間に位置して前記変圧機の１次コイルに接続され、前記変圧器の１次コイルは前記第１電極駆動部と前記第２電極駆動部との間で前記パネルキャパシタに並列接続されていることを特徴とする請求項２４に記載のプラズマ表示装置。
【請求項２６】
前記第２インダクタの一部に第２捲線が巻かれ、前記第１インダクタに第１捲線が巻かれ、前記第１捲線の数は前記第２捲線の数より少ないことを特徴とする請求項２２乃至請求項２５のいずれか１項に記載のプラズマ表示装置。
【発明の詳細な説明】
【技術分野】
【０００１】
本発明は、プラズマ表示装置に係り、特に維持期間における電圧上昇時間及び下降時間を減少させることのできるプラズマ表示装置に関するものである。
【背景技術】
【０００２】
プラズマ表示装置は、気体放電によって生成されるプラズマを利用して文字または映像を表示する平面表示装置であり、その大きさによって数百万個以上の放電セル（以下、"セル"と言う）をマトリックス状に配列している。
【０００３】
一般に、プラズマ表示装置では、１つのフレームをそれぞれの輝度加重値を有する複数のサブフィールドに分けて駆動しており、サブフィールドの組み合わせによって階調を表現している。また、各サブフィールドはリセット期間、アドレス期間、維持期間によって構成されている。
【０００４】
リセット期間はアドレス放電を安定的に行うためにセルを初期化する役割を果たしている。アドレス期間は複数のセルの中で点灯されるセルと点灯されないセルを選択するための期間である。維持期間はアドレス期間で選択されたセルを当該サブフィールドの加重値に応じた期間の間、維持放電する期間である。
【０００５】
このような維持放電は２つの電極に交互に維持放電パルスを印加して行われる。この時、２つの電極は容量性負荷（以下、パネルキャパシタという）として作用するために、２つの電極に維持放電パルスを印加するためには維持放電のための電力の他に無効消費電力と称されるパネルの充放電電力が必要である。したがって、維持放電駆動回路はパネルの充放電電力を回収して再使用する電力回収回路を一般に含んでいる。
【０００６】
図１は、従来の維持放電駆動回路の一例（ＷＥＢＥＲ特許）である。図１に示すように、従来の維持放電駆動回路は、走査電極駆動部４０と維持電極駆動部５０とを含んでいる。
【０００７】
まず、走査電極駆動部４０は、電力回収回路４１及び維持電圧供給部４２を含んでいる。電力回収回路４１はトランジスタ（Ｘｒ、Ｘｆ）、インダクタＬ１、ダイオード（Ｄ１、Ｄ２）及び電力回収用キャパシタＣ１を含んでいる。
【０００８】
インダクタＬ１の第１端がパネルキャパシタＣｐの維持電極Ｘに接続され、インダクタＬ１の第２端がダイオードＤ１のカソード及びダイオードＤ２のアノードに接続されている。ダイオードＤ１のアノードはトランジスタＸｒのソースに接続され、トランジスタＸｒのドレインが電力回収用キャパシタＣ１に接続されている。ダイオードＤ２のカソードはトランジスタＸｆのドレインに接続され、トランジスタＸｆのソースは電力回収用キャパシタＣ１に接続されている。ここで、電力回収用キャパシタＣ１には、Ｖｓ電圧と０Ｖ電圧との差のほぼ半分に相当する電圧（Ｖｓ/２）が充電される。このように接続された電力回収回路４１はパネルキャパシタＣｐの電圧をＶｓ電圧に充電したり、接地電圧に放電したりする役割を果たしている。
【０００９】
維持電圧供給部４２は、パネルキャパシタＣｐの維持電極Ｘに接続され、２つのトランジスタ（Ｘｓ、Ｘｇ）を含んでいる。トランジスタＸｓは、維持放電電圧Ｖｓを供給する電源とパネルキャパシタＣｐの維持電極Ｘとの間に接続され、トランジスタＸｇは接地電圧を供給する電源とパネルキャパシタＣｐの維持電極Ｘとの間に接続されている。このトランジスタ（Ｘｓ、Ｘｇ）は、パネルキャパシタＣｐにＶｓ電圧と接地電圧をそれぞれ供給する。
【００１０】
維持電極駆動部５０は、走査電極駆動部４０と同様に電力回収回路５１及び維持電圧供給部５２を含んでおり、その構成と機能は走査電極駆動部４０と同一なので、詳細な説明は省略する。
【００１１】
図２は、従来の維持放電駆動回路の他の一例（ＮＥＣ特許）である。図２に示すように、従来の維持放電駆動回路は、走査電極駆動部４０’と維持電極駆動部５０’とを含んでいる。ここで、走査電極駆動部４０’は電力回収回路４１’及び維持電圧供給部４２’を含んでおり、維持電極駆動部５０’は維持電圧供給部５２’のみを含んでいる。
【００１２】
そして、図２に示す維持放電駆動回路は、電力回収用キャパシタを使用せず、パネルキャパシタＣｐに印加される電圧を利用して電力を供給し、回収している点を除くと、図１と同一なので、詳細な説明は省略する。
【００１３】
一方、パネルキャパシタＣｐの両端にかかる電圧は、図１に示すＷｅｂｅｒ特許の場合にパネルの寄生抵抗成分、スイッチ素子のオンドロップ（ｏｎ ｄｒｏｐ）成分などを考慮して次の数式１のようになる。
【数１】
2007323065.tif 000003
【００１４】
数式１から共振周波数に相当するω値は
【数２】
2007323065.tif 000004
【００１５】
の形態で表されることが分かり、Ｗｅｂｅｒ特許の場合には半周期共振するので、このような共振周波数値によって電圧の上昇期間或いは下降期間が決まることになる。
【発明の開示】
【発明が解決しようとする課題】
【００１６】
一方、大画面の高画質パネルの開発ではパネル等価容量が大きくなる場合に、維持期間に割り当てられた時間が限定されているので高速駆動を適用するにはインダクタンス値を小さくしなければ安定的な映像表現が可能にならない。しかし、図１及び図２に示した従来の維持放電駆動回路を使用すると、維持期間で電圧上昇または下降にかかる期間を減らすには限界があった。
【００１７】
そこで、本発明の目的は、維持期間で電圧上昇時間及び下降時間を減少させることのできるプラズマ表示装置を提供することにある。
【課題を解決するための手段】
【００１８】
前記目的を達成するために、本発明のプラズマ表示装置は、第１電極と第２電極によって形成された容量性負荷であるパネルキャパシタを複数備えたプラズマ表示装置において、第１端が第１電圧を供給する第１電源に接続され、第２端が前記第１電極に接続された第１トランジスタと、第１端が前記第１電極に接続され、第２端が前記第１電圧より低い第２電圧を供給する第２電源に接続された第２トランジスタと、第１端が前記第１トランジスタの第２端に接続された１次コイルと、第１端が前記１次コイルの第２端に接続され、導通時に前記パネルキャパシタの両端にかかる電圧が減少するように動作する第３トランジスタと、第２端が前記１次コイルの第２端に接続され、導通時に前記パネルキャパシタの両端にかかる電圧が増加するように動作する第４トランジスタと、前記第１電極に第１端が接続され、前記１次コイルとカップリングされる２次コイルと、第１端が前記２次コイルの第２端に接続されたインダクタと、第１端が前記インダクタの第２端に接続され、導通時に前記パネルキャパシタの両端にかかる電圧が減少するように動作する第５トランジスタと、第２端が前記インダクタの第２端に接続され、導通時に前記パネルキャパシタの両端にかかる電圧が増加するように動作する第６トランジスタとを含むことを特徴とする。
【００１９】
また、本発明の他の形態のプラズマ表示装置は、第１電極と第２電極とによって形成された容量性負荷である複数のパネルキャパシタと、前記第１電極に接続され、導通時に前記第１電極に第１電圧を印加する第１トランジスタと、前記第１電極に接続され、導通時に前記第１電極に前記第１電圧より低い第２電圧を印加する第２トランジスタと、前記第２電極に接続され、導通時に前記第２電極に前記第１電圧を印加する第３トランジスタと、前記第２電極に接続され、導通時に前記第２電極に前記第２電圧を印加する第４トランジスタと、前記第１トランジスタの第２端に接続された１次コイルと、前記１次コイルとカップリングされ、前記第１電極に接続された２次コイルと、第１端が前記２次コイルに接続されたインダクタと、第１端が前記インダクタの第２端に接続された第５トランジスタと、第２端が前記インダクタの第２端に接続された第６トランジスタと、第１端が前記１次コイルに接続され、第２端が前記第５トランジスタの第２端に接続された第７トランジスタと、第１端が前記第６トランジスタの第１端に接続され、第２端が前記第７トランジスタの第１端に接続されて前記１次コイルに接続された第８トランジスタとを含むことを特徴とする。
【発明の効果】
【００２０】
本発明のプラズマ表示装置によれば、維持放電駆動回路において変圧機の１次側コイルをパネルキャパシタと並列に接続することにより、電圧の上昇期間及び下降期間を短縮し、これによってスイッチの導通時間を短縮して消費電力を低減することができる。また、維持電圧を交番させる時には初期にインダクタに電流を印加してインダクタに蓄積されたエネルギーを利用することにより、維持電圧を印加する時のハードスイッチングを減らして素子を保護し、維持放電の時に発生する電力消耗を節減することができる。
【発明を実施するための最良の形態】
【００２１】
以下、添付した図面を参照して、本発明の実施例について本発明が属する技術分野における通常の知識を有する者が容易に実施できるように詳しく説明する。ただし、本発明は多様で相異なる形態で実現することができ、ここで説明する実施例に限定されるわけではない。図面では、本発明を明確に説明するために説明上不要な部分は省略した。明細書全体にわたって類似の部分については同一の図面符号を付けた。
【００２２】
明細書全体において、ある部分が他の部分と“接続”されると記載されているとき、これは“直接に接続”されている場合だけでなく、その間に“他の素子を介して電気的に接続”されている場合も含むものとする。また、ある部分がある構成要素を“含む”と記載されている時には、これは特に反対の記載がない限り他の構成要素を除くものではなく、他の構成要素をさらに含むことが可能であることを意味する。
【００２３】
そして、明細書全体で電圧を維持するという表現は、特定の２点間の電位差が時間経過によって変化してもその変化が設計上許容できる範囲内にあるか、または変化の原因が当業者の設計慣行では無視される寄生成分による場合を含んでいる。また、放電電圧に比べて半導体素子（トランジスタ、ダイオードなど）のしきい値電圧が非常に低いので、しきい値電圧を０Ｖと見なして近似処理する。
【００２４】
まず、本発明の一実施例に係るプラズマ表示装置の構成を、図３に基づいて詳細に説明する。図３は本発明の一実施例に係るプラズマ表示装置の構成を示すブロック図である。
【００２５】
図３に示すように、本発明の一実施例に係るプラズマ表示装置は、プラズマ表示パネル１００、制御部２００、アドレス駆動部３００、走査電極駆動部４００と、維持電極駆動部５００を含んでいる。
【００２６】
プラズマ表示パネル１００は、列方向に伸びる複数のアドレス電極（Ａ１-Ａｍ）、行方向に伸びる複数の維持電極（Ｘ１-Ｘｎ）及び複数の走査電極（Ｙ１-Ｙｎ）を含んでいる。複数の走査電極（Ｙ１-Ｙｎ）及び維持電極（Ｘ１-Ｘｎ）は互いに対をなして配列されている。そして、隣接する走査電極と維持電極及びこれらと交差するアドレス電極によって放電セルが形成されている。
【００２７】
制御部２００は、外部から映像信号を受信してアドレス駆動制御信号、維持電極駆動制御信号及び走査電極駆動制御信号を出力する。そして、制御部２００は１つのフレームを複数のサブフィールドに分割して駆動し、各サブフィールドは時間的な動作変化で表現すると、リセット期間、アドレス期間及び維持期間で構成されている。
【００２８】
アドレス駆動部３００は、制御部２００からアドレス駆動制御信号を受信して表示しようとする放電セルを選択するための表示データ信号を各アドレス電極に印加する。
【００２９】
走査電極駆動部４００は、制御部２００から走査電極駆動制御信号を受信して走査電極に駆動電圧を印加する。
【００３０】
維持電極駆動部５００は、制御部２００から維持電極駆動制御信号を受信して維持電極に駆動電圧を印加する。
【００３１】
図４は、本発明の一実施例に係るプラズマ表示装置の駆動波形を示す図面である。図４は維持期間における駆動波形のみを示したものである。
【００３２】
図４に示すように、維持期間では走査電極と維持電極にハイレベル電圧（Ｖｓ電圧）とローレベル電圧（０Ｖ電圧）を交互に印加する維持放電パルスを逆位相で印加する。このような維持放電パルスが、当該サブフィールドを示す加重値に対応する回数だけ反復して走査電極と維持電極に印加される。つまり、走査電極にＶｓ電圧が印加される時に、維持電極には０Ｖ電圧が印加され、維持電極にＶｓ電圧が印加される時に、走査電極には０Ｖ電圧が印加される。このようにすると、各パネルキャパシタＣｐの走査電極と維持電極との間の電圧差が、交互にＶｓ電圧と-Ｖｓ電圧となり、その結果、点灯する放電セルにおいて維持放電が所定回数だけ繰り返して行われる。
【００３３】
図５は、本発明の第１実施例に係るプラズマ表示装置の維持放電駆動回路の構成を示す回路図である。
【００３４】
図５に示すように、本発明の第１実施例に係る維持放電駆動回路は、図２に示す従来の維持放電駆動回路を改善したもので、走査電極駆動部４００と維持電極駆動部５００を含んでいる。
【００３５】
走査電極駆動部４００は、維持電圧供給部４２０のみを含んでおり、維持電極駆動部５００は電力回収回路５１０及び維持電圧供給部５２０を含んでいる。ただし、維持電極駆動部５００が維持電圧供給部のみを含み、走査電極駆動部４００が電力回収回路及び維持電圧供給部を含むような構造とすることも可能であることは当然である。
【００３６】
ここで、図５に示す維持放電駆動回路では、パネルキャパシタＣｐに並列に変圧器が接続されており、この変圧器の１次コイルＬ１と、１次コイル（或いはインダクタ）Ｌ１にカップリングされ、パネルキャパシタＣｐに直列に接続された変圧器の２次コイル（またはインダクタ）Ｌ２とを含むようにしたことを除き、図２に示した従来の維持放電駆動回路と同一なので、重複する説明は省略する。また、図面ではパネルキャパシタＣｐを１つだけ示したが、パネルキャパシタＣｐは各放電セルに備えられているので、複数存在している。
【００３７】
図５に示すように、走査電極駆動部４００の維持電圧供給部４２０と維持電極駆動部５００の維持電圧供給部５２０との間に、パネルキャパシタＣｐと並列に接続されるように変圧器の１次コイルＬ１を接続する。したがって、トランジスタＳ１のソースとトランジスタＳ３のソースに１次コイルＬ１の両端がそれぞれ接続される。
【００３８】
そして、１次コイルＬ１にカップリングされる２次コイルＬ２をインダクタＬ３（或いは共振インダクタ）とパネルキャパシタＣｐとの間に接続する。
【００３９】
したがって、１次コイルＬ１と２次コイルＬ２に巻かれているコイルの捲線比によって２次コイルＬ２に接続されているインダクタＬ３にかかる電圧の大きさを決めることができる。
【００４０】
つまり、捲線比を大きくすると、インダクタＬ３に印加される電圧の変化比が増加するので、電力を供給及び回収する動作時における電圧の上昇期間または下降期間を減少させることができる。
【００４１】
次に、図５の維持放電駆動回路の動作について、図６、図７Ａ乃至図７Ｄを参照して詳細に説明する。
【００４２】
図６は、図４の駆動波形を生成するための維持放電駆動回路の信号タイミングを示すタイミングチャートであり、図７Ａ乃至図７Ｄはそれぞれ図６の各信号タイミングにおける図５の維持放電駆動回路の動作を単純化して示した回路図である。
【００４３】
まず、モード１が始まる前にトランジスタ（Ｓ１、Ｓ４）は導通状態であり、トランジスタ（Ｓ２、Ｓ３、Ｓ５、Ｓ６）は遮断状態なので、パネルキャパシタＣｐの両端にかかる電圧ＶｃｐはＶｓ電圧を維持していると仮定する。そして、パネルキャパシタＣｐのＹ電極に比べてＸ電極の電圧がＶｃｐ電圧だけ高い場合を正（＋）と仮定し、インダクタＬ３に流れる電流ＩＬ３はインダクタＬ３から２次コイルＬ２へ流れる方向を正（＋）の方向とする。
【００４４】
図６及び図７Ａを参照すると、モード１（ｔ０≦ｔ≦ｔ１）ではトランジスタ（Ｓ１〜Ｓ４、Ｓ６）は遮断され、トランジスタＳ５が導通されて、図７Ａに示すようにパネルキャパシタＣｐのＸ電極から２次コイルＬ２、インダクタＬ３、ダイオードＤ１、トランジスタＳ５及びパネルキャパシタＣｐのＹ電極という経路を通って共振が発生する（経路１）。
【００４５】
また、パネルキャパシタＣｐのＸ電極から１次コイルＬ１及びパネルキャパシタＣｐのＹ電極という経路を通って電流経路を形成する（経路２）。
【００４６】
次いで、モード２（ｔ１≦ｔ≦ｔ２）では、トランジスタ（Ｓ２、Ｓ３、Ｓ５）が導通され、トランジスタ（Ｓ１、Ｓ４、Ｓ６）が遮断されて、図７Ｂに示すようにトランジスタＳ２から１次コイルＬ１、トランジスタＳ３及び電源Ｖｓという電流経路を形成する（経路３）。そして、トランジスタＳ２から２次コイルＬ２、インダクタＬ３、ダイオードＤ１、ダイオードＤ３及び電源Ｖｓという電流経路も形成する（経路４）。また、トランジスタＳ５からトランジスタＳ３及び電源Ｖｓという電流経路も形成され（経路５）、パネルキャパシタＣｐの両端にかかる電圧Ｖｃｐは-Ｖｓの電圧が維持される。したがって、放電電流はトランジスタＳ３とパネルキャパシタＣｐとトランジスタＳ２を通って流れる。ここで、パネルキャパシタＣｐを通って流れる電流は電流源のように現れるので、パネルキャパシタＣｐに並列に接続された電流源として示した。
【００４７】
この時、インダクタＬ３に流れる電流ＩＬ３の大きさは電流経路３、４によって線形に減少する。
【００４８】
そして、インダクタＬ３にかかる電圧は下記の数式３に示すように（ｎ+１）Ｖｓの電圧になる。ここで、ｎは図７Ａ乃至図７Ｄに示したように１次コイルＬ１の捲き（ｔｕｒｎ）数を１に等価化した場合の２次コイルの捲き数である。
【数３】
2007323065.tif 000005
【００４９】
したがって、数式３に示すように、１次コイルＬ１と２次コイルＬ２との間の捲線比（１:ｎ）が大きいほどインダクタＬ３の両端にかかる電圧が大きくなり、インダクタＬ３に流れる電流ＩＬ３の大きさは０まで増加する。
【００５０】
インダクタＬ３に流れる電流ＩＬ３の大きさが０になると、モード３（ｔ２≦ｔ≦ｔ３）となり、このモード３では図７Ｃに示すようにダイオードＤ４からインダクタＬ３、２次コイルＬ２及びトランジスタＳ２の電流経路が形成される（経路６）。同時に、電源ＶｓからトランジスタＳ３、１次コイルＬ１及びトランジスタＳ２の電流経路が形成される（経路７）。この時、図６及び図７Ｃに示すように、インダクタＬ３に流れる電流ＩＬ３の大きさは変圧機の役割をする１次コイルＬ１と２次コイルＬ２によって増幅されて線形に増加する。
【００５１】
次に、モード４（ｔ３≦ｔ≦ｔ４）では、トランジスタＳ５が遮断され、図６及び図７Ｄに示すようにインダクタＬ３に流れる電流ＩＬ３の大きさは線形に増加する。
【００５２】
モード４が終了すると、上述した制御と同様な制御が行われてパネルキャパシタＣｐの電圧はＶｓ電圧まで上昇した後に、Ｖｓ電圧が印加される。
【００５３】
このように、第１実施例に係る維持放電駆動回路では、１次コイルＬ１をパネルキャパシタＣｐに対して並列に接続して共振周波数を（ｎ+１）倍に増加させたことにより、パネルキャパシタＣｐの電圧を速い速度で下降または上昇させることができる。
【００５４】
しかし、その一方で上述した第１実施例に係る維持放電駆動回路では、図６に示すように、インダクタＬ３に流れる電流ＩＬ３が連続して導通し、電力消耗量が大きくなって効率が低下するという問題がある。そこで、このような問題を解決するために、第２実施例に係る維持放電駆動回路を提案する。
【００５５】
図８は、本発明の第２実施例に係る維持放電駆動回路の構成を示す回路図である。
【００５６】
図８に示すように、本発明の第２実施例に係る維持放電駆動回路は、図１に示す従来の維持放電駆動回路を改善したもので、走査電極駆動部４００’と維持電極駆動部５００’とを含んでいる。
【００５７】
走査電極駆動部４００’は、電力回収回路４１０’及び維持電圧供給部４２０’を含み、維持電極駆動部５００’も電力回収回路５１０’及び維持電圧供給部５２０’を含んでいる。
【００５８】
ここで、第２実施例に係る維持放電駆動回路は、パネルキャパシタＣｐに変圧器を並列に接続し、この変圧機の１次コイル（或いはインダクタ）Ｌ１と、１次コイルＬ１にカップリングされてパネルキャパシタＣｐに直列に接続された変圧器の２次コイル（或いはインダクタ）Ｌ２をさらに含むことを除いて図１と同一なので、重複する説明を省略する。
【００５９】
次に、図８の維持放電駆動回路の動作について、図９、図１０Ａ乃至図１０Ｄを参照して詳細に説明する。
【００６０】
図９は、図４の駆動波形を生成するための維持放電駆動回路の信号タイミングを示すタイミングチャートであり、図１０Ａ乃至図１０Ｄはそれぞれ図９の各信号タイミングにおける図８の維持放電駆動回路の動作を単純化して示す図面である。
【００６１】
まず、モード１が始まる前にトランジスタ（Ｓ２、Ｓ３）は導通状態で、他のトランジスタ（Ｓ１、Ｓ４、Ｓ５、Ｓ６、Ｓ７、Ｓ８）は遮断状態なので、パネルキャパシタＣｐの両端にかかる電圧Ｖｃｐは-Ｖｓ電圧を維持していると仮定する。ここで、第１実施例と同様に、パネルキャパシタＣｐのＹ電極に比べてＸ電極の電圧がＶｃｐ電圧だけ高い場合を正（＋）と仮定する。
【００６２】
図９及び図１０Ａを参照すると、モード１（ｔ０≦ｔ≦ｔ１）ではトランジスタ（Ｓ６、Ｓ８）がさらに導通され、図１０Ａに示すように電源ＶｓからトランジスタＳ３、トランジスタＳ８、ダイオードＤ４、１次コイルＬ１、トランジスタＳ２及び電源（０Ｖ）という経路を形成する（経路１）。
【００６３】
また、電源ＶｓからトランジスタＳ３、トランジスタＳ６、ダイオードＤ２、インダクタＬ３、２次コイルＬ２、トランジスタＳ２及び電源（０Ｖ）という電流経路を形成する（経路２）。
【００６４】
ここで、２次コイルＬ２には１次コイルＬ１から増幅された電流が流れ、そのためにインダクタＬ３に保存される電流量が増加する。したがって、インダクタＬ３に保存される電流Ｉｏは下記の数式４となる。
【数４】
2007323065.tif 000006
【００６５】
したがって、図９に示すように、ＩｏによってインダクタＬ３に流れる電流ＩＬ３の大きさは線形に増加する。モード１でＩＬ３の電流を増加させる理由は、実際の回路で現れる寄生成分と電圧ドロップなどを考慮した時に、上昇する電圧がＶｓまで到達して維持電圧を印加する時に生じるハードスイッチングを抑制するためである。
【００６６】
次に、モード２（ｔ１≦ｔ≦ｔ２）では、トランジスタ（Ｓ２、Ｓ３）が遮断され、図１０Ｂに示すようにパネルキャパシタＣｐのＹ電極からトランジスタＳ６、ダイオードＤ２、インダクタＬ３、２次コイルＬ２及びパネルキャパシタＣｐのＸ電極という経路で共振が発生し（経路３）、インダクタＬ３に保存された電流がパネルキャパシタＣｐへ供給されながらパネルキャパシタＣｐの両端にかかる電圧Ｖｃｐは-Ｖｓ電圧からＶｓ電圧まで上昇する。
【００６７】
また、パネルキャパシタＣｐのＹ電極からトランジスタＳ８、ダイオードＤ４、１次コイルＬ１及びパネルキャパシタＣｐのＸ電極という経路も形成される（経路４）。
【００６８】
ここで、電流経路３は下記の数式５のような回路の方程式で表現することができる。
【数５】
2007323065.tif 000007
【００６９】
そして、数式５で初期値条件（ＩＬ３=Ｉｏ、Ｖｃｐ=-Ｖｓ）を代入すると、下記の数式６のようにＶｃｐ値を求めることができる。
【数６】
2007323065.tif 000008
【００７０】
数式６に示すようにＶｃｐの周波数は（ｎ+１）ω０になるので、数式１に示す共振周波数に比べて（ｎ+１）倍増加して共振周期が短くなることが分かる。したがって、パネルキャパシタＣｐの電圧の上昇期間または下降期間を大きく短縮することができる。
【００７１】
次に、モード３（ｔ２≦ｔ≦ｔ３）では、トランジスタ（Ｓ１、Ｓ４）がさらに導通され、図１０Ｃに示すように電源ＶｓからトランジスタＳ１、パネルキャパシタＣｐ、トランジスタＳ４及び電源（０Ｖ）という電流経路を形成して（経路５）パネルキャパシタＣｐの両端にかかる電圧ＶｃｐはＶｓ電圧で維持される。
【００７２】
一方、インダクタＬ３に流れる電流ＩＬ３の大きさは下記の数式７のように線形に減少する。
【数７】
2007323065.tif 000009
【００７３】
インダクタＬ３に流れる電流ＩＬ３の大きさが０になると、モード４（ｔ３≦ｔ≦ｔ４）へ移行し、このモード４では図１０Ｄに示すようにトランジスタ（Ｓ６、Ｓ８）が遮断されて電流経路５のみが形成される。この時、放電電流はトランジスタＳ１とパネルキャパシタＣｐとトランジスタＳ４からなる経路を通って接地端に流れる。
【００７４】
したがって、モード４ではインダクタＬ３には電流が流れなくなる。つまり、本発明の第１実施例とは異なり、本発明の第２実施例ではパネルキャパシタＣｐの電圧が上昇または下降する期間にのみインダクタＬ３に電流が流れ、Ｖｓ電圧が印加される間にはインダクタＬ３には電流が流れなくなる。
【００７５】
したがって、本発明の第１実施例とは異なり、本発明の第２実施例ではパネルキャパシタＣｐにＶｓ電圧または-Ｖｓ電圧を印加する時にインダクタＬ３に電流が流れないようにして電力の消耗を節減することができる。
【００７６】
以上、本発明の実施例について詳細に説明したが、本発明の権利範囲はこれに限定されるわけではなく、特許請求の範囲で定義する本発明の基本概念を利用した当業者の様々な変形及び改良形態もまた本発明の権利範囲に属している。
【図面の簡単な説明】
【００７７】
【図１】従来のプラズマ表示装置の維持放電駆動回路の構成を示す回路図である。
【図２】従来のプラズマ表示装置の維持放電駆動回路の他の構成を示す回路図である。
【図３】本発明の一実施例に係るプラズマ表示装置の構成を示すブロック図である。
【図４】本発明の一実施例に係るプラズマ表示装置の駆動波形を示す図面である。
【図５】本発明の第１実施例に係るプラズマ表示装置の維持放電駆動回路の構成を示す回路図である。
【図６】図４の駆動波形を生成するための維持放電駆動回路の信号タイミングを示すタイミングチャートである。
【図７Ａ】図６のモード１における維持放電駆動回路の動作を単純化して示す回路図である。
【図７Ｂ】図６のモード２における維持放電駆動回路の動作を単純化して示す回路図である。
【図７Ｃ】図６のモード３における維持放電駆動回路の動作を単純化して示す回路図である。
【図７Ｄ】図６のモード４における維持放電駆動回路の動作を単純化して示す回路図である。
【図８】本発明の第２実施例に係るプラズマ表示装置の維持放電駆動回路の構成を示す回路図である。
【図９】図４の駆動波形を生成するための維持放電駆動回路の信号タイミングを示すタイミングチャートである。
【図１０Ａ】図９のモード１における維持放電駆動回路の動作を単純化して示す回路図である。
【図１０Ｂ】図９のモード２における維持放電駆動回路の動作を単純化して示す回路図である。
【図１０Ｃ】図９のモード３における維持放電駆動回路の動作を単純化して示す回路図である。
【図１０Ｄ】図９のモード４における維持放電駆動回路の動作を単純化して示す回路図である。
【符号の説明】
【００７８】
４０、４０’、４００、４００’    走査電極駆動部
４１、４１’、５１、５１０、５１０’    電力回収回路
４２、５２、４２０’、５２０、５２０’    維持電圧供給部
５０、５０’、５００、５００’    維持電極駆動部
１００    プラズマ表示パネル
２００    制御部
３００    アドレス駆動部
Ａ１−Ａｍ    アドレス電極
Ｘ１−Ｘｎ    維持電極
Ｙ１−Ｙｎ    走査電極
Ｃ１    電力回収用キャパシタ
Ｃｐ    パネルキャパシタ
Ｄ１、Ｄ２、Ｄ３、Ｄ４    ダイオード
Ｌ１、Ｌ２、Ｌ３    インダクタ
Ｓ１〜Ｓ６    トランジスタ
Ｖｓ    維持放電電圧
Ｘ    維持電極
Ｘｆ、Ｘｇ、Ｘｒ、Ｘｓ    トランジスタ
【図１】
2007323065.tif 000010
【図２】
2007323065.tif 000011
【図３】
2007323065.tif 000012
【図４】
2007323065.tif 000013
【図５】
2007323065.tif 000014
【図６】
2007323065.tif 000015
【図７Ａ】
2007323065.tif 000016
【図７Ｂ】
2007323065.tif 000017
【図７Ｃ】
2007323065.tif 000018
【図７Ｄ】
2007323065.tif 000019
【図８】
2007323065.tif 000020
【図９】
2007323065.tif 000021
【図１０Ａ】
2007323065.tif 000022
【図１０Ｂ】
2007323065.tif 000023
【図１０Ｃ】
2007323065.tif 000024
【図１０Ｄ】
2007323065.tif 000025